(57)【要約】【課題】温度補償を行わずに所望の中間色を表示することができる電気泳動表示装置を提供すること。【解決手段】制御部は、画素において、当該画素の表示面に第１色を表示させた状態から第２電圧印加を行った後に第１電圧印加を行う第１表示制御と、当該画素の表示面に第２色を表示させた状態から第１電圧印加を行った後に第２電圧印加を行う第２表示制御とのうちの少なくとも一方を行うことにより、当該画素の表示面に第３色を表示させる、電気泳動表示装置。【選択図】図１
2017134231.tif 000002
【特許請求の範囲】
【請求項１】
互いに対向させられた第１基板と第２基板と、
前記第１基板に設けられ、複数の画素に配置された複数の第１電極と、
前記第２基板に設けられた第２電極と、
前記第１基板と前記第２基板との間に設けられ、１種類以上の粒子及び前記粒子を分散させる分散媒を含む分散液と、
前記画素において、前記第２電極から前記第１電極へ向かう電界を生じさせる第１電圧印加を行うことによって当該画素の表示面に第１色を表示させる制御と、前記第１電極から前記第２電極へ向かう電界を生じさせる第２電圧印加を行うことによって当該画素の表示面に前記第１色と異なる第２色を表示させる制御を行う制御部と、
を備え、
前記制御部は、前記画素において、当該画素の表示面に前記第１色を表示させた状態から前記第２電圧印加を行った後に前記第１電圧印加を行う第１表示制御と、当該画素の表示面に前記第２色を表示させた状態から前記第１電圧印加を行った後に前記第２電圧印加を行う第２表示制御とのうちの少なくとも一方を行うことにより、当該画素の表示面に前記第１色及び前記第２色と異なる第３色を表示させる、
電気泳動表示装置。
【請求項２】
前記第３色は、複数あり、
前記制御部は、前記画素の表示面に表示させる前記第３色毎に、前記画素に対する前記第１表示制御における１回目の前記第１電圧印加と前記第２電圧印加と２回目の前記第１電圧印加とのうちの少なくとも１つの電圧波形を変化させ、前記第２表示制御における１回目の前記第２電圧印加と前記第１電圧印加と２回目の前記第２電圧印加とのうちの少なくとも１つの電圧波形を変化させる、
請求項１に記載の電気泳動表示装置。
【請求項３】
温度を検出する温度検出部を備え、
前記制御部は、前記温度検出部が検出した温度に応じて、前記画素に対する前記第１表示制御における１回目の前記第１電圧印加と前記第２電圧印加と２回目の前記第１電圧印加とのうちの少なくとも１つの電圧波形を変化させ、前記第２表示制御における１回目の前記第２電圧印加と前記第１電圧印加と２回目の前記第２電圧印加とのうちの少なくとも１つの電圧波形を変化させる、
請求項１又は２に記載の電気泳動表示装置。
【請求項４】
前記制御部は、前記画素のうちの一部である第１画素に前記第１表示制御を行い、前記画素のうちの前記第１画素と異なる第２画素に前記第２表示制御を行う、
請求項１から３のうちいずれか一項に記載の電気泳動表示装置。
【請求項５】
前記制御部は、所定時間が経過する毎に、各前記画素について行う制御を、前記第１表示制御と前記第２表示制御とで切り替える、
請求項４に記載の電気泳動表示装置。
【請求項６】
請求項１から５のうちいずれか一項に記載の電気泳動表示装置を備える、
電子機器。
【請求項７】
互いに対向させられた第１基板と第２基板と、
前記第１基板に設けられ、複数の画素に配置された複数の第１電極と、
前記第２基板に設けられた第２電極と、
前記第１基板と前記第２基板との間に設けられ、１種類以上の粒子及び前記粒子を分散させる分散媒を含む分散液と、
を備える電気泳動表示装置を駆動させる駆動装置であって、
前記画素において、前記第２電極から前記第１電極へ向かう電界を生じさせる第１電圧印加を行うことによって当該画素の表示面に第１色を表示させる制御と、前記第１電極から前記第２電極へ向かう電界を生じさせる第２電圧印加を行うことによって当該画素の表示面に前記第１色と異なる第２色を表示させる制御を行う制御部、
を備え、
前記制御部は、前記画素において、当該画素の表示面に前記第１色を表示させた状態から前記第２電圧印加を行った後に前記第１電圧印加を行う第１表示制御と、当該画素の表示面に前記第２色を表示させた状態から前記第１電圧印加を行った後に前記第２電圧印加を行う第２表示制御とのうちの少なくとも一方を行うことにより、当該画素の表示面に前記第１色及び前記第２色と異なる第３色を表示させる、
駆動装置。
【請求項８】
互いに対向させられた第１基板と第２基板と、
前記第１基板に設けられ、複数の画素に配置された複数の第１電極と、
前記第２基板に設けられた第２電極と、
前記第１基板と前記第２基板との間に設けられ、１種類以上の粒子及び前記粒子を分散させる分散媒を含む分散液と、
を備える電気泳動表示装置を駆動させる駆動方法であって、
前記画素において、前記第２電極から前記第１電極へ向かう電界を生じさせる第１電圧印加を行うことによって当該画素の表示面に第１色を表示させる制御と、前記第１電極から前記第２電極へ向かう電界を生じさせる第２電圧印加を行うことによって当該画素の表示面に前記第１色と異なる第２色を表示させる制御とを行い、
前記画素において、当該画素の表示面に前記第１色を表示させた状態から前記第２電圧印加を行った後に前記第１電圧印加を行う第１表示制御と、当該画素の表示面に前記第２色を表示させた状態から前記第１電圧印加を行った後に前記第２電圧印加を行う第２表示制御とのうちの少なくとも一方を行うことにより、当該画素の表示面に前記第１色及び前記第２色と異なる第３色を表示させる、
駆動方法。
【発明の詳細な説明】
【技術分野】
【０００１】
この発明は、電気泳動表示装置、電子機器、駆動装置、及び駆動方法に関する。
【背景技術】
【０００２】
電気泳動粒子を用いて表示画像を表示させる電気泳動表示装置（ＥＰＤ：Electrophoretic  Display）において、電気泳動粒子に対応する色とは異なる他の色（中間色、中間調）を表示させる方法の研究や開発が行われている。このような電気泳動表示装置では、表示させる中間色が温度によって変化することが知られている。
【０００３】
これに関し、電気泳動粒子に印加する電圧及び当該電圧の印加時間を温度に応じて変化させることにより、温度による中間色の変化を抑制する電気光学装置が知られている（特許文献１参照）。
【先行技術文献】
【特許文献】
【０００４】
【特許文献１】特開２０１０−１７００３０号公報
【発明の概要】
【発明が解決しようとする課題】
【０００５】
しかしながら、このような電気光学装置は、温度を検出する温度センサーや温度補償制御回路を備えなければ、温度による中間色の変化を抑制することができないため、設計及び組み立てが複雑になるとともに、コストが高くなる場合があった。
【０００６】
そこで本発明は、上記従来技術の問題に鑑みてなされたものであり、温度補償を行わずに所望の中間色を表示することができる電気泳動表示装置、電子機器、駆動装置、及び駆動方法を提供する。
【課題を解決するための手段】
【０００７】
本発明の一態様は、互いに対向させられた第１基板と第２基板と、前記第１基板に設けられ、複数の画素に配置された複数の第１電極と、前記第２基板に設けられた第２電極と、前記第１基板と前記第２基板との間に設けられ、１種類以上の粒子及び前記粒子を分散させる分散媒を含む分散液と、前記画素において、前記第２電極から前記第１電極へ向かう電界を生じさせる第１電圧印加を行うことによって当該画素の表示面に第１色を表示させる制御と、前記第１電極から前記第２電極へ向かう電界を生じさせる第２電圧印加を行うことによって当該画素の表示面に前記第１色と異なる第２色を表示させる制御を行う制御部と、を備え、前記制御部は、前記画素において、当該画素の表示面に前記第１色を表示させた状態から前記第２電圧印加を行った後に前記第１電圧印加を行う第１表示制御と、当該画素の表示面に前記第２色を表示させた状態から前記第１電圧印加を行った後に前記第２電圧印加を行う第２表示制御とのうちの少なくとも一方を行うことにより、当該画素の表示面に前記第１色及び前記第２色と異なる第３色を表示させる、電気泳動表示装置である。
この構成により、電気泳動表示装置は、画素において、第１表示制御と、第２表示制御とのうちの少なくとも一方を行うことにより、当該画素の表示面に第３色を表示させる。これにより、電気泳動表示装置は、温度補償を行わずに所望の第３色を表示することができる。
【０００８】
また、本発明の他の態様は、電気泳動表示装置において、前記第３色は、複数あり、前記制御部は、前記画素の表示面に表示させる前記第３色毎に、前記画素に対する前記第１表示制御における１回目の前記第１電圧印加と前記第２電圧印加と２回目の前記第１電圧印加とのうちの少なくとも１つの電圧波形を変化させ、前記第２表示制御における１回目の第２電圧印加と前記第１電圧印加と２回目の前記第２電圧印加とのうちの少なくとも１つの電圧波形を変化させる、構成が用いられてもよい。
この構成により、電気泳動表示装置は、画素の表示面に表示させる第３色毎に、画素に対する第１表示制御における１回目の第１電圧印加と第２電圧印加と２回目の第１電圧印加とのうちの少なくとも１つの電圧波形を変化させ、第２表示制御における１回目の第２電圧印加と第１電圧印加と２回目の第２電圧印加とのうちの少なくとも１つの電圧波形を変化させる。これにより、電気泳動表示装置は、複数の第３色を表示することができる。
【０００９】
また、本発明の他の態様は、電気泳動表示装置において、温度検出部を備え、前記制御部は、前記温度検出部が検出した温度に応じて、前記画素に対する前記第１表示制御における１回目の前記第１電圧印加と前記第２電圧印加と２回目の前記第１電圧印加とのうちの少なくとも１つの電圧波形を変化させ、前記第２表示制御における１回目の前記第２電圧印加と前記第１電圧印加と２回目の前記第２電圧印加とのうちの少なくとも１つの電圧波形を変化させる、構成が用いられてもよい。
この構成により、電気泳動表示装置は、温度検出部が検出した温度に応じて、画素に対する第１表示制御における１回目の第１電圧印加と第２電圧印加と２回目の第１電圧印加とのうちの少なくとも１つの電圧波形を変化させ、第２表示制御における１回目の第２電圧印加と第１電圧印加と２回目の第２電圧印加とのうちの少なくとも１つの電圧波形を変化させる。これにより、電気泳動表示装置は、温度変化があっても、より確実に所望の第３色を表示することができる。
【００１０】
また、本発明の他の態様は、電気泳動表示装置において、前記制御部は、前記画素のうちの一部である第１画素に前記第１表示制御を行い、前記画素のうちの前記第１画素と異なる第２画素に前記第２表示制御を行う、構成が用いられてもよい。
この構成により、電気泳動表示装置は、複数の画素のうちの一部である第１画素に第１表示制御を行い、当該画素のうちの第１画素と異なる第２画素に第２表示制御を行う。これにより、電気泳動表示装置は、第１画素と第２画素によって所望の第３色を表示することができる。
【００１１】
また、本発明の他の態様は、電気泳動表示装置において、前記制御部は、所定時間が経過する毎に、各前記画素について行う制御を、前記第１表示制御と前記第２表示制御とで切り替える、構成が用いられてもよい。
この構成により、電気泳動表示装置は、所定時間が経過する毎に、各画素について行う制御を、第１表示制御と第２表示制御とで切り替える。これにより、電気泳動表示装置は、ＤＣ（Direct  Current）印加バランスの不均一を抑制することができる。
【００１２】
また、本発明の他の態様は、上記のいずれかに記載の電気泳動表示装置を備える、電子機器である。
この構成により、電子機器は、画素において、第１表示制御と、第２表示制御とのうちの少なくとも一方を行うことにより、当該画素の表示面に第３色を表示させる。これにより、電子機器は、温度補償を行わずに所望の第３色を表示することができる。
【００１３】
また、本発明の他の態様は、互いに対向させられた第１基板と第２基板と、前記第１基板に設けられ、複数の画素に配置された複数の第１電極と、前記第２基板に設けられた第２電極と、前記第１基板と前記第２基板との間に設けられ、１種類以上の粒子及び前記粒子を分散させる分散媒を含む分散液と、を備える電気泳動表示装置を駆動させる駆動装置であって、前記画素において、前記第２電極から前記第１電極へ向かう電界を生じさせる第１電圧印加を行うことによって当該画素の表示面に第１色を表示させる制御と、前記第１電極から前記第２電極へ向かう電界を生じさせる第２電圧印加を行うことによって当該画素の表示面に前記第１色と異なる第２色を表示させる制御を行う制御部、を備え、前記制御部は、前記画素において、当該画素の表示面に前記第１色を表示させた状態から前記第２電圧印加を行った後に前記第１電圧印加を行う第１表示制御と、当該画素の表示面に前記第２色を表示させた状態から前記第１電圧印加を行った後に前記第２電圧印加を行う第２表示制御とのうちの少なくとも一方を行うことにより、当該画素の表示面に前記第１色及び前記第２色と異なる第３色を表示させる、駆動装置である。
この構成により、駆動装置は、画素において、第１表示制御と、第２表示制御とのうちの少なくとも一方を行うことにより、当該画素の表示面に第３色を表示させる。これにより、駆動装置は、温度補償を行わずに所望の第３色を表示することができる。
【００１４】
また、本発明の他の態様は、互いに対向させられた第１基板と第２基板と、前記第１基板に設けられ、複数の画素に配置された複数の第１電極と、前記第２基板に設けられた第２電極と、前記第１基板と前記第２基板との間に設けられ、１種類以上の粒子及び前記粒子を分散させる分散媒を含む分散液と、を備える電気泳動表示装置を駆動させる駆動方法であって、前記画素において、前記第２電極から前記第１電極へ向かう電界を生じさせる第１電圧印加を行うことによって当該画素の表示面に第１色を表示させる制御と、前記第１電極から前記第２電極へ向かう電界を生じさせる第２電圧印加を行うことによって当該画素の表示面に前記第１色と異なる第２色を表示させる制御とを行い、前記画素において、当該画素の表示面に前記第１色を表示させた状態から前記第２電圧印加を行った後に前記第１電圧印加を行う第１表示制御と、当該画素の表示面に前記第２色を表示させた状態から前記第１電圧印加を行った後に前記第２電圧印加を行う第２表示制御とのうちの少なくとも一方を行うことにより、当該画素の表示面に前記第１色及び前記第２色と異なる第３色を表示させる、駆動方法である。
この構成により、駆動方法は、画素において、第１表示制御と、第２表示制御とのうちの少なくとも一方を行うことにより、当該画素の表示面に第３色を表示させる。これにより、駆動方法は、温度補償を行わずに所望の第３色を表示することができる。
【００１５】
以上により、電気泳動表示装置、電子機器、駆動装置、及び駆動方法は、画素において、第１表示制御と、第２表示制御とのうちの少なくとも一方を行うことにより、当該画素の表示面に第３色を表示させる。これにより、電気泳動表示装置、電子機器、駆動装置、及び駆動方法は、温度補償を行わずに所望の中間色を表示することができる。
【図面の簡単な説明】
【００１６】
【図１】電気泳動表示装置１の構成の一例を示す図である。
【図２】画素２の回路の構成例を示す図である。
【図３】画像生成部１１１の構成例を示す図である。
【図４】第１表示制御において対象画素に表示される色の時間的変化を示すグラフの一例を示す図である。
【図５】第２表示制御において画素２に表示される色の時間的変化を示すグラフの一例を示す図である。
【図６】制御部１０１が対象画素に第１表示制御を行う処理の流れの一例を示すフローチャートである。
【図７】第１表示制御が行われている間に制御部１０１により対象画素に印加される電圧の電圧波形の一例を示す図である。
【図８】制御部１０１が対象画素に第２表示制御を行う処理の流れの一例を示すフローチャートである。
【図９】第２表示制御が行われている間に制御部１０１により対象画素に印加される電圧の電圧波形の一例を示す図である。
【図１０】電気泳動表示装置１の表示部３において中間色Ｃ５を表示させる領域である中間色表示領域Ｍ１１の一例を示す図である。
【図１１】中間色表示領域の他の例を示す図である。図１１に示した中間色表示領域Ｍ１１は、４８個の画素２によって構成される。
【図１２】中間色表示領域Ｍ１１において第１画素Ｐ１の数に対する第２画素Ｐ２の数の割合を変化させずに、中間色表示領域Ｍ１１における第１画素Ｐ１と第２画素Ｐ２との分布を変化させる方法の一例を説明する図である。
【図１３】中間色表示領域Ｍ１１において第１画素Ｐ１の数に対する第２画素Ｐ２の数の割合を変化させずに、中間色表示領域Ｍ１１における第１画素Ｐ１と第２画素Ｐ２との分布を変化させる方法の他の例を説明する図である。
【図１４】電子機器の一例である電子ブック５０１を示す斜視図である。
【図１５】電子機器の一例である腕時計５５１を示す斜視図である。
【図１６】電子機器の一例である電子ペーパー５７１を示す斜視図である。
【発明を実施するための形態】
【００１７】
＜第１実施形態＞
以下、本発明の第１実施形態に係る電気泳動表示装置１について図面を参照して説明する。
【００１８】
＜電気泳動表示装置の構成＞
まず、電気泳動表示装置１の構成について説明する。図１は、電気泳動表示装置１の構成の一例を示す図である。図１には、説明の便宜上、互いに直交するＸ軸及びＹ軸を示してある。
電気泳動表示装置１は、表示部３と、走査線駆動回路６と、データ線駆動回路７と、制御部１０１を備える。
【００１９】
表示部３には、画素２が、Ｙ軸方向に向かってｍ個、Ｘ軸方向に向かってｎ個のマトリクス状に形成されている。本実施形態では、ｍ及びｎはそれぞれ、２以上の整数である。
走査線駆動回路６は、表示部３をＸ軸方向に向かって延在する複数の走査線４（Ｙ１、Ｙ２、…、Ｙｍ）を介して画素２に接続されている。走査線４毎にｎ個の画素２が接続されている。
データ線駆動回路７は、表示部３をＹ軸方向に沿って延在する複数のデータ線５（Ｘ１、Ｘ２、…、Ｘｎ）を介して画素２に接続されている。データ線５毎にｍ個の画素２が接続されている。
【００２０】
本実施形態では、制御部１０１は、走査線駆動回路６とデータ線駆動回路７の動作を制御する。制御部１０１は、例えば、集積回路を用いて構成される。
【００２１】
図２は、画素２の回路の構成例を示す図である。本実施形態では、各画素２の回路の構成は同じである。なお、各画素２の一部又は全部の回路の構成は、互いに異なる構成であってもよい。
画素２は、選択スイッチＴＦＴ２４と、メモリー回路であるコンデンサー２５と、画像生成部１１１を備える。画像生成部１１１は、画素電極２０２と、共通電極２０１と、これらの間に設けられる電気泳動の分散液を備える。
【００２２】
この一例において、すべての画素２の共通電極２０１には、図１に示した共通電極電源配線１５が接続されている。また、共通電極電源配線１５には、定電位が印加されていて、この電位を基準、すなわち０［Ｖ］とする。定電位は、一定の電位のことである。コンデンサー２５の一端には、任意の定電位が印加され、本実施形態では共通電極電源配線１５と接続されることによって０［Ｖ］が印加されている。
【００２３】
選択スイッチＴＦＴ２４のドレインには、コンデンサー２５の他端と画素電極２０２とが接続されている。コンデンサー２５の他端は、共通電極電源配線１５が接続されていない方のコンデンサーの一端のことである。選択スイッチＴＦＴ２４のゲートには、図１に示した走査線駆動回路６の走査線Ｙ１〜Ｙｍが行毎に接続され、選択スイッチＴＦＴ２４のソース線には、データ線駆動回路７のデータ線Ｘ１〜Ｘｎが列毎に接続されている。
【００２４】
図１に戻る。走査線駆動回路６は、走査線Ｙ１〜Ｙｍを順次走査して、いずれか１本の走査線４を選択し、選択電圧を印加する。選択電圧は、この一例において、画素２の選択スイッチＴＦＴ２４をオン状態にするゲート電圧のことである。一方、残りの選択されていない走査線４には、非選択電圧を印加する。非選択電圧は、この一例において、画素２の選択スイッチＴＦＴ２４をオフ状態にするゲート電圧のことである。データ線駆動回路７は、データ線５に電圧Ｖ（＞０［Ｖ］）、０［Ｖ］、−Ｖの３値の電圧のいずれかを、上位機種からの指示によって印加する。
【００２５】
従って、ある行に対応した走査線４に選択電圧を印加した状態で、各列のデータ線５に電圧Ｖ、０［Ｖ］、−Ｖの３値の電圧のいずれかを印加すると、当該行当該列の画素２のコンデンサー２５には、データ線５に印加した電圧が印加されて保持される。すなわち、選択状態から非選択状態に移行した場合であっても、コンデンサー２５の電圧は変化しない。
【００２６】
以上により、制御部１０１は、走査線４を順次走査することによって、１巡する周期単位（Ｔとする）でコンデンサー２５に印加する電圧を電圧Ｖ、０［Ｖ］、−Ｖのいずれかに設定する。そして、コンデンサー２５の他端が画素電極２０２に接続されているため、個々の画素２の画素電極２０２に独立に電圧Ｖ、０［Ｖ］、−Ｖのいずれかを、周期単位Ｔの整数倍の任意時間印加することが出来る。以下では、画素電極２０２に電圧Ｖ、０［Ｖ］、−Ｖのいずれかを任意時間印加する説明において、このような印加シーケンスの説明を省略する。
【００２７】
図３は、画像生成部１１１の構成例を示す図である。図３は、電気泳動表示装置１における画像生成部１１１（表示部３の画素２の一部）の部分断面図である。
画像生成部１１１は、複数個の隔壁である隔壁２２３−１〜隔壁２２３−３と、対向基板２２１に設けられた共通電極２０１と、素子基板２２２に設けられた複数（本実施形態では、ｍ×ｎ）個の画素電極２０２である画素電極２０２−１、画素電極２０２−２と、分散媒２１１と、１種類以上の複数の粒子とを備える。以下では、一例として、１種類以上の当該粒子が、複数の白色粒子２１２と、複数の黒色粒子２１３との２種類の粒子である場合について説明する。分散媒２１１と、白色粒子２１２と、黒色粒子２１３により、分散液が構成されている。なお、隔壁で閉ざされた閉空間の一部には画素２が設けられていない構成であってもよく、また、２以上の画素２が１つの閉空間に形成される構成であってもよく、更には、画素電極２０２部分に隔壁があってもよい。また、この一例において、画像生成部１１１は、対向基板２２１と素子基板２２２とを含まない構成であるが、これに代えて、対向基板２２１と素子基板２２２とのうちいずれか一方又は両方を含む構成であってもよい。
ここで、白色粒子２１２は白色に対応する帯電した電気泳動粒子であり、黒色粒子２１３は黒色に対応する帯電した電気泳動粒子である。分散媒２１１は、白色粒子２１２及び黒色粒子２１３を分散させる液体である。
【００２８】
対向基板２２１には、一方の面に、共通電極２０１が設けられている。対向基板２２１は、第２基板の一例である。また、共通電極２０１は、第２電極の一例である。また、共通電極２０１の第２基板側の面は、表示部３において画像を表示する面を構成する各画素２の表示面の一例である。
素子基板２２２には、一方の面に、画素電極２０２−１、画素電極２０２−２のそれぞれが設けられている。素子基板２２２は、第１基板の一例である。また、画素電極２０２−１、画素電極２０２−２のそれぞれは、第１電極の一例である。
素子基板２２２と対向基板２２１とは、共通電極２０１、画素電極２０２−１、画素電極２０２−２のそれぞれが内側となり、共通電極２０１と画素電極２０２−１及び画素電極２０２−２とが互いに対向するように配置されている。
素子基板２２２と対向基板２２１との間に備えられた複数個の隔壁２２３−１〜隔壁２２３−３により、素子基板２２２と対向基板２２１との間の領域が各画素２に対応する複数の領域に区分されている。それぞれの各画素２に対応する領域に、１個の画素電極（図３に示した例では、画素電極２０２−１や画素電極２０２−２）が設けられている。
【００２９】
素子基板２２２は、例えば、ガラスあるいはプラスティック等からなる基板である。素子基板２２２上に画素電極２０２−１、画素電極２０２−２が形成されている。画素電極２０２−１、画素電極２０２−２は、それぞれの画素２毎に矩形に形成されている。なお、図示を省略しているが、各画素電極２０２（図３に示した例では、画素電極２０２−１、画素電極２０２−２）の間の領域あるいは画素電極２０２−１、画素電極２０２−２のそれぞれの下面の層（素子基板２２２側の層）には、図１及び図２に示される走査線４、データ線５、共通電極電源配線１５、選択スイッチＴＦＴ２４、コンデンサー２５等が形成されている。
【００３０】
対向基板２２１は、画像を表示する側となり、例えば、ガラス等の透光性を有する基板である。対向基板２２１上に形成される共通電極２０１には、透光性と導電性を有する材質が用いられ、例えばＭｇＡｇ（マグネシウム銀）、ＩＴＯ（インジウム・スズ酸化物）、ＩＺＯ（インジウム・亜鉛酸化物）、カーボンナノチューブ等が用いられる。なお、共通電極２０１は、本実施形態では１個であるが、他の構成例として、本実施形態に係る共通電極２０１の代わりに、複数に分割された複数個の電極が用いられてもよい。これら複数個の電極は、例えば、画素２毎に設けられてもよい。
【００３１】
分散媒２１１としては、例えば、水、メタノール、エタノール、イソプロパノール、ブタノール、オクタノール、メチルセルソルブ等のアルコール系溶媒、酢酸エチル、酢酸ブチル等の各種エステル類、アセトン、メチルエチルケトン、メチルイソブチルケトン等のケトン類、ぺンタン、ヘキサン、オクタン等の脂肪族炭化水素、シクロへキサン、メチルシクロへキサン等の脂環式炭化水素、ベンゼン、トルエン、キシレン、ヘキシルベンゼン、ヘブチルベンゼン、オクチルベンゼン、ノニルベンゼン、デシルベンゼン、ウンデシルベンゼン、ドデシルベンゼン、トリデシルベンゼン、テトラデシルベンゼン等の長鎖アルキル基を有するベンゼン類等の芳香族炭化水素、塩化メチレン、クロロホルム、四塩化炭素、１，２−ジクロロエタン等のハロゲン化炭化水素、カルボン酸塩、シリコーン又はその他の種々の油類等の単独又はこれらの混合物に界面活性剤等を配合したものを挙げることができる。
【００３２】
白色粒子２１２は、例えば、二酸化チタン、亜鉛華、三酸化アンチモン等の白色顔料からなる粒子（高分子あるいはコロイド）であり、例えば負に帯電されている。白色は、第１色の一例である。また、白色粒子２１２は、第１粒子の一例である。
黒色粒子２１３は、例えば、アニリンブラック、カーボンブラック等の黒色顔料からなる粒子（高分子あるいはコロイド）であり、例えば正に帯電されている。黒色は、第２色の一例である。また、黒色粒子２１３は、第２粒子の一例である。
この構成により、白色粒子２１２及び黒色粒子２１３は、分散媒２１１の中で画素電極２０２−１、画素電極２０２−２のそれぞれと共通電極２０１との間に印加される電圧によって発生する電界の中を移動する。
なお、白色顔料あるいは黒色顔料には、必要に応じて、電解質、界面活性剤、金属石鹸、樹脂、ゴム、油、ワニス、コンパウンド等の粒子からなる荷電制御剤、チタン系カップリング剤、アルミニウム系カップリング剤、シラン系カップリング剤等の分散剤、潤滑剤、安定化剤等が添加される構成であってもよい。
【００３３】
共通電極２０１の電位（０［Ｖ］）に対して負の電位を画素電極２０２−１、画素電極２０２−２のそれぞれに印加した場合、共通電極２０１から画素電極２０２−１、画素電極２０２−２のそれぞれに向かう電界が生じるため、正に帯電された黒色粒子２１３は、画素電極２０２−１、画素電極２０２−２のそれぞれの側に泳動する。一方、負に帯電された白色粒子２１２は、共通電極２０１の側に泳動する。
【００３４】
当該負の電位を画素電極２０２−１、画素電極２０２−２のそれぞれに所定時間ｔｓ１印加した場合、表示面の側（共通電極２０１の側）には白色粒子２１２が集まることになり、表示面には当該白色粒子２１２に対応する色（白色）が表示される。所定時間ｔｓ１は、表示面に表示された色が黒色から白色に変化するのに要する時間以上の時間であるとともに、表示面に表示された色が白色から黒色に変化するのに要する時間以上の時間であり、実験やシミュレーション等によって決定される時間である。
【００３５】
また、共通電極２０１の電位（０［Ｖ］）に対して正の電位を画素電極２０２−１、画素電極２０２−２のそれぞれに印加した場合、画素電極２０２−１、画素電極２０２−２のそれぞれから共通電極２０１に向かう電界が生じるため、負に帯電された白色粒子２１２は、画素電極２０２−１、画素電極２０２−２のそれぞれの側に泳動する。一方、正に帯電された黒色粒子２１３は、共通電極２０１の側に泳動する。
【００３６】
当該正の電位を画素電極２０２−１、画素電極２０２−２のそれぞれに所定時間ｔｓ１印加した場合、表示面の側（共通電極２０１の側）には黒色粒子２１３が集まることになり、表示面には当該黒色粒子２１３に対応する色（黒色）が表示される。
【００３７】
なお、電気泳動表示装置１は、白色粒子２１２、黒色粒子２１３に用いる顔料を、例えば、赤色、緑色、青色等の顔料に変えることによって、赤色、緑色、青色等を表示する構成であってもよい。
【００３８】
図３の例では、すべての画素２について共通電極２０１に０［Ｖ］の電位が印加されており、隣り合う２個の画素２の画素電極２０２−１、画素電極２０２−２のそれぞれに互いに異なる電位が所定時間ｔｓ１以上印加されている。具体的には、画素電極２０２−１には負の電位（−Ｖ）が印加されており、画素電極２０２−１に対応した画素２の表示面に表示された色は白色になっている。一方、画素電極２０２−２には正の電位（Ｖ）が印加されており、画素電極２０２−２に対応する画素２の表示面に表示された色は黒色になっている。なお、電圧Ｖの具体的な値は、例えば、数Ｖから数十Ｖ程度であり、一定であってもよく、時間的に変化してもよい。また、この一例において、正の電圧（Ｖ）と負の電圧（−Ｖ）の絶対値（｜Ｖ｜）が等しい場合について説明しているが、正の電圧と負の電圧の絶対値が互いに異なる構成であってもよい。
【００３９】
＜電気泳動表示装置の概要＞
次に、電気泳動表示装置１の概要について説明する。
電気泳動表示装置１の制御部１０１は、それぞれの画素２について、第１電圧印加を行うことによって当該画素２（の表示面）に第１色を表示させる。第１電圧印加は、複数の画素２のうちの第１色を表示させる対象となる画素２に負の電圧である第１電圧を印加する制御のことである。当該画素２に第１電圧を印加する制御は、この一例において、当該画素２の共通電極２０１に印加する電位を基準（０［Ｖ］）にして当該画素２の画素電極２０２に負の電位を印加する制御のことである。また、制御部１０１は、それぞれの画素２について、当該画素２に第１電圧印加を所定時間ｔｓ１行うことによって当該画素２に第１色を表示させる。第１色は、この一例において、白色粒子２１２の色である白色である。第１色が白色と異なる他の色である場合、電気泳動表示装置１は、白色粒子２１２の代わりに当該他の色に対応する粒子が各画素２の分散液を構成する分散媒２１１に分散される構成となる。
【００４０】
また、制御部１０１は、それぞれの画素２について、第２電圧印加を行うことによって当該画素２（の表示面）に第２色を表示させる。第２電圧印加は、複数の画素２のうちの第２色を表示させる対象となる画素２に正の電圧である第２電圧を印加する制御のことである。当該画素２に第２電圧を印加する制御は、この一例において、当該画素２の共通電極２０１に印加する電位を基準（０［Ｖ］）にして当該画素２の画素電極２０２に正の電位を印加する制御のことである。また、制御部１０１は、それぞれの画素２について、当該画素２に第２電圧印加を所定時間ｔｓ１行うことによって当該画素２に第２色を表示させる。第２色は、この一例において、黒色粒子２１３の色である黒色である。第２色が黒色と異なる他の色である場合、電気泳動表示装置１は、黒色粒子２１３の代わりに当該他の色に対応する粒子が各画素２の分散液を構成する分散媒２１１に分散される構成となる。
【００４１】
また、制御部１０１は、それぞれの画素２に第１色及び第２色と異なる第３色を表示することが可能である。第３色は、この一例において、白色と黒色との中間の色である中間色Ｃ５である。中間色Ｃ５は、画素２における共通電極２０１と画素電極２０２との間で白色粒子２１２と黒色粒子２１３とが混ざり合っている状態において画素２に表示される色である。
【００４２】
例えば、ある画素２に黒色が表示されている状態において、制御部１０１は、当該画素２に第１電圧印加を所定時間ｔ１行った後に、当該画素２に印加している電圧を０ボルトにする。所定時間ｔ１が、当該画素２に表示された色が黒色から白色に変化するのに要する時間未満の時間である場合、当該画素２における白色粒子２１２と黒色粒子２１３とは、当該画素２の共通電極２０１と画素電極２０２との間において混ざり合った（分散された）状態のまま保持される。従って、所定時間ｔ１を、当該画素２に表示された色が黒色から白色に変化するのに要する時間未満の時間のうちの当該画素２に表示された色が黒色から中間色Ｃ５に変化するのに要する時間とすることにより、制御部１０１は、当該画素２に中間色Ｃ５を表示することができる。このような所定時間ｔ１は、実験やシミュレーション等によって決定することができる。
【００４３】
また、例えば、ある画素２に白色が表示されている状態において、制御部１０１は、当該画素２に第２電圧印加を所定時間ｔ２行った後に、当該画素２に印加している電圧を０ボルトにする。所定時間ｔ２が、当該画素２に表示された色が白色から黒色に変化するのに要する時間未満の時間である場合、当該画素２における白色粒子２１２と黒色粒子２１３とは、当該画素２の共通電極２０１と画素電極２０２との間において混ざり合った状態のまま保持される。従って、所定時間ｔ２を、当該画素２に表示された色が白色から黒色に変化するのに要する時間未満の時間のうちの当該画素２に表示された色が白色から中間色Ｃ５に変化するのに要する時間とすることにより、制御部１０１は、当該画素２に中間色Ｃ５を表示することができる。このような所定時間ｔ２は、実験やシミュレーション等によって決定することができる。
【００４４】
このようにして各画素２に表示される中間色Ｃ５は、表示部３の温度（分散媒２１１の温度）の変化とともに他の色に変化する場合がある。このような表示部３の温度の変化に応じた中間色Ｃ５の変化は、表示部３の温度に応じて分散媒２１１の粘度が変化し、分散媒２１１中の白色粒子２１２及び黒色粒子２１３の移動速度が変化するために生じる。表示部３の温度が上昇した場合、分散媒２１１の粘度は低下し、分散媒２１１中の白色粒子２１２及び黒色粒子２１３の移動速度は速くなる。
【００４５】
このような表示部３の温度の変化に応じた中間色Ｃ５の変化を抑制するため、電気泳動表示装置１は、表示部３の少なくとも一部に中間色Ｃ５を表示させる場合、中間色Ｃ５を表示させる１以上の画素２である対象画素に、第１電圧印加と第２電圧印加との両方に基づく制御を行うことにより、中間色Ｃ５を表示させる。
【００４６】
より具体的には、制御部１０１は、第１電圧印加によって対象画素（の表示面）に白色を表示させた後に第２電圧印加を行ってから第１電圧印加を行う第１表示制御と、第２電圧印加を行って対象画素（の表示面）に黒色を表示させた後に第１電圧印加を行ってから第２電圧印加を行う第２表示制御とのうちの少なくとも一方を行うことにより、対象画素（の表示面）に中間色Ｃ５を表示させる。これにより、電気泳動表示装置１は、表示部３の温度による中間色Ｃ５の変化を抑制することができる。すなわち、電気泳動表示装置１は、温度補償を行わずに所望の第３色（この一例において、中間色）を表示することができる。本実施形態では、制御部１０１が中間色Ｃ５を表示させる第１表示制御及び第２表示制御と、表示部３の温度に応じた中間色Ｃ５の変化の抑制について詳しく説明する。
【００４７】
＜第１表示制御と第２表示制御とのそれぞれによる中間色の表示方法＞
以下、図４及び図５を参照し、前述の第１表示制御と第２表示制御とのそれぞれによる中間色Ｃ５の表示方法について説明する。図４は、第１表示制御において対象画素に表示される色の時間的変化を示すグラフの一例を示す図である。図４に示したグラフの横軸は、時間を示す。また、当該グラフの縦軸は、対象画素に表示される色に対応する階調を示す。また、図４では、第１表示制御における１回目の第１電圧印加が開始されたタイミングを横軸の原点と一致させている。また、図４では、一例として、第１表示制御における１回目の第１電圧印加が開始されるタイミングの直前まで対象画素に表示されていた色が黒色である場合について説明する。
【００４８】
図４に示したように、第１表示制御では、１回目の第１電圧印加が対象画素に所定時間ｔｓ１行われた後に第２電圧印加が対象画素に所定時間ｔｓ２行われる。当該第２電圧印加の後、第１表示制御では、対象画素に０［Ｖ］の電圧を所定時間ｔｓ３印加してから２回目の第１電圧印加を対象画素に所定時間ｔｓ４行う。また、図４では、第１表示制御における１回目の第１電圧印加が所定時間ｔｓ１行われる区間を第１区間Ｗ１と称し、第２電圧印加が所定時間ｔｓ２行われる区間を第２区間Ｗ２と称し、電圧の印加が所定時間ｔｓ３解除されている区間を第３区間Ｗ３と称し、２回目の第１電圧印加が所定時間ｔｓ４行われている区間を第４区間Ｗ４と称して説明する。
【００４９】
図４に示した線Ｆ１は、表示部３の温度が温度Ｔ１の場合において、対象画素に第１表示制御が行われた際に対象画素に表示される色の時間的変化を示す。温度Ｔ１は、例えば、２０℃程度（すなわち、常温）である。なお、温度Ｔ１は、２０℃程度に代えて、他の温度であってもよい。線Ｆ１が示すように、表示部３の温度が温度Ｔ１の場合、１回目の第１電圧印加により対象画素に白色が表示され、第２電圧印加により対象画素に第１経由色Ｍ１が表示され、２回目の第１電圧印加により対象画素に中間色Ｃ５が表示される。第１経由色Ｍ１は、中間色Ｃ５に対応する階調よりも低い階調に対応する色である。
【００５０】
表示部３の温度の変化に応じた中間色Ｃ５の変化を抑制するためには、所定の条件Ｚ１を満たすように所定時間ｔｓ２及び所定時間ｔｓ４を決める必要がある。所定の条件Ｚ１が満たされた場合、表示部３の温度が温度Ｔ２の場合において対象画素に第１表示制御が行われた際の対象画素に表示される色の時間的変化は、図４に示した線Ｆ２が示す変化のように変化する。温度Ｔ２は、例えば、３０℃程度（すなわち、常温よりも高温）である。なお、温度Ｔ２は、３０℃程度に代えて、温度Ｔ１よりも高い温度であれば他の温度であってもよい。
【００５１】
図４に示した線Ｆ２は、表示部３の温度が温度Ｔ２の場合において、対象画素に第１表示制御が行われた際に対象画素に表示される色の時間的変化を示す。線Ｆ２が示すように、表示部３の温度が温度Ｔ２の場合、１回目の第１電圧印加により対象画素に白色が表示され、第２電圧印加により対象画素に第２経由色Ｍ２が表示され、２回目の第１電圧印加により対象画素に中間色Ｃ５が表示される。第２経由色Ｍ２は、第１経由色Ｍ１に対応する階調よりも低い階調に対応する色である。
【００５２】
図４に示したように第１表示制御における２回目の第１電圧印加によって線Ｆ１が示す階調と線Ｆ２が示す階調との両方ともが中間色Ｃ５に対応する階調となっていることは、所定の条件Ｚ１が満たされた場合に表示部３の温度の変化に応じた中間色Ｃ５の変化が抑制されていることを示している。
【００５３】
ここで、白色に対応する階調をＴｗと定義し、黒色に対応する階調をＴｂと定義し、中間色Ｃ５に対応する階調をＴｃ５と定義し、前述の所定の条件Ｚ１について説明する。表示部３の温度が温度Ｔ１の場合、第２区間Ｗ２の終了後の第３区間Ｗ３において対象画素の色に対応する階調は、以下の式（１）に示すように、ＴｗからΔＴｍ１１だけ減少した階調であるＴｍ１となる。ΔＴｍ１１は、表示部３の温度が温度Ｔ１の場合に第２区間Ｗ２において変化した対象画素の色に対応する階調の変化量である。
【００５４】
Ｔｍ１＝Ｔｗ−ΔＴｍ１１  ・・・（１）
【００５５】
また、表示部３の温度が温度Ｔ１の場合、第４区間Ｗ４の終了時において対象画素の色に対応する階調は、以下の式（２）に示すように、Ｔｍ１からΔＴｍ１２だけ増加した階調であるＴｍ２となる。ΔＴｍ１２は、表示部３の温度が温度Ｔ１の場合に第４区間Ｗ４において変化した対象画素の色に対応する階調の変化量である。このＴｍ２は、表示部３の温度が温度Ｔ１の場合であって第１表示制御によって対象画素に中間色Ｃ５を表示させる場合、Ｔｃ５と一致する。
【００５６】
Ｔｍ２＝Ｔｍ１＋ΔＴｍ１２＝Ｔｗ−ΔＴｍ１１＋ΔＴｍ１２＝Ｔｃ５  ・・・（２）
【００５７】
一方、表示部３の温度が温度Ｔ２の場合、対象画素の分散液中の白色粒子２１２及び黒色粒子２１３の移動速度が上昇するため、第２区間Ｗ２において変化した色であって第３区間Ｗ３における対象画素の色に対応する階調は、以下の式（３）に示すように、ＴｗからΔＴｍ２１だけ減少した階調であるＴｍ３となる。ΔＴｍ２１は、表示部３の温度が温度Ｔ２の場合に第２区間Ｗ２において変化した対象画素の色に対応する階調の変化量である。
【００５８】
Ｔｍ３＝Ｔｗ−ΔＴｍ２１  ・・・（３）
【００５９】
ΔＴｍ２１とΔＴｍ１１との差をΔ１１と定義すると、上記の式（３）は、以下の式（４）のようになる。
【００６０】
Ｔｍ３＝Ｔｗ−ΔＴｍ１１−Δ１１  ・・・（４）
【００６１】
また、表示部３の温度が温度Ｔ２の場合、第４区間Ｗ４の終了時において対象画素の色に対応する階調は、以下の式（５）に示すように、Ｔｍ３からΔＴｍ２２だけ増加した階調であるＴｍ４となる。ΔＴｍ２２は、表示部３の温度が温度Ｔ２の場合に第４区間Ｗ４において変化した対象画素の色に対応する階調の変化量である。
【００６２】
Ｔｍ４＝Ｔｍ３＋ΔＴｍ２２  ・・・（５）
【００６３】
ΔＴｍ２２とΔＴｍ１２との差をΔ１２と定義すると、上記の式（５）は、上記の式（２）を用いて以下の式（６）のようになる。
【００６４】
Ｔｍ４＝Ｔｍ３＋ΔＴｍ１２＋Δ１２
＝Ｔｗ−ΔＴｍ１１−Δ１１＋ΔＴｍ１２＋Δ１２
＝Ｔｃ５−Δ１１＋Δ１２  ・・・（６）
【００６５】
上記の式（６）から、Δ１１＝Δ１２の場合に、表示部３の温度が温度Ｔ１から温度Ｔ２へと変化しても、第１表示制御によって対象画素に表示させた中間色Ｃ５が変化しないことが分かる。
【００６６】
また、第２区間Ｗ２において対象画素に表示される色に対応する階調が当該色よりも白色側の色に対応する階調へと変化する速度である反射率増加速度Ｖｗ、及び反射率増加速度Ｖｗが表示部３の温度が１℃変化した場合に変化する大きさΔＶｗは、実験やシミュレーション等によって導出することができる。発明者が行った白黒表示での反射率の変化を測定した実験では、例えば、表示部３の温度が２０℃の場合、Ｖｗ＝２０％／Ｓｅｃであった。これは表示の対象画素の反射率を１秒間に２０％上昇させる値であり、表示部３の温度が３０℃の場合、Ｖｗ＝５０％／Ｓｅｃであった。これは対象画素の反射率を１秒間に５０％上昇させる値である。従って、ΔＶｗ＝（５０％／Ｓｅｃ−２０％／Ｓｅｃ）／（３０℃−２０℃）＝３％／Ｓｅｃ／℃となる。すなわち、温度が１℃上昇する毎に反射率増加速度Ｖｗの値は、３％／Ｓｅｃずつ上昇する。
【００６７】
また、第２区間Ｗ２において対象画素に表示される色に対応する階調が当該色よりも黒色側の色に対応する階調へと変化する速度である反射率低下速度Ｖｂ、及び反射率低下速度Ｖｂが表示部３の温度が１℃変化した場合に変化する大きさΔＶｂは、実験やシミュレーション等によって導出することができる。発明者が行った実験では、例えば、表示部３の温度が２０℃の場合、Ｖｂ＝５０％／Ｓｅｃであるため、対象画素の反射率は、１秒間に５０％低下する。表示部３の温度が３０℃の場合、Ｖｂ＝１００％／Ｓｅｃであるため、対象画素の反射率は、１秒間に１００％低下する。従って、ΔＶｂ（１００％／Ｓｅｃ−５０％／Ｓｅｃ）／（３０℃−２０℃）＝５％／Ｓｅｃ／℃となる。すなわち、温度が１℃上昇する毎に反射率低下速度Ｖｂの値は、５％／Ｓｅｃずつ上昇する。
【００６８】
これらのΔＶｗ及びΔＶｂを用いて前述のΔ１１及びΔ１２を表すと、以下の式（７）及び式（８）のようになる。
【００６９】
Δ１１＝ΔＶｂ×ｔｓ２  ・・・（７）
Δ１２＝ΔＶｗ×ｔｓ４  ・・・（８）
【００７０】
すなわち、表示部３の温度の変化に応じた中間色Ｃ５の変化が抑制されるための所定の条件Ｚ１は、Δ１１＝Δ１２に基づいて以下の式（９）のように表される。
【００７１】
ΔＶｂ×ｔｓ２＝ΔＶｗ×ｔｓ４  ・・・（９）
【００７２】
従って、上述の実験等により得られたΔＶｗ及びΔＶｂを用いて所定時間ｔｓ２を所定時間ｔｓ４の（ΔＶｗ／ΔＶｂ）倍とすることによって、上記の式（９）、すなわち所定の条件Ｚ１は、満たされる。従って、制御部１０１は、所定の条件Ｚ１を満たすように所定時間ｔｓ２及び所定時間ｔｓ４が設定された場合、対象画素に第１表示制御を行うことによって表示部３の温度の変化に応じた対象画素の色の変化を抑制しつつ、対象画素に中間色Ｃ５を表示することができる。
【００７３】
図５は、第２表示制御において画素２に表示される色の時間的変化を示すグラフの一例を示す図である。図５に示したグラフの横軸は、時間を示す。また、当該グラフの縦軸は、画素２に表示される色に対応する階調を示す。また、図５では、第２表示制御における１回目の第２電圧印加が開始されたタイミングを横軸の原点と一致させている。また、図５では、一例として、第２表示制御における１回目の第２電圧印加が開始されるタイミングの直前まで画素２に表示された色が白色であった場合について説明する。
【００７４】
図５に示したように、第２表示制御では、１回目の第２電圧印加が対象画素に所定時間ｔｓ１行われた後に第１電圧印加が対象画素に所定時間ｔｓ５行われる。当該第１電圧印加の後、第２表示制御では、対象画素に０［Ｖ］の電圧を所定時間ｔ６印加してから２回目の第２電圧印加を対象画素に所定時間ｔｓ７行う。また、図５では、第２表示制御における１回目の第２電圧印加が所定時間ｔｓ１行われる区間を第１区間Ｗ５と称し、第１電圧印加が所定時間ｔｓ５行われる区間を第２区間Ｗ６と称し、電圧の印加が所定時間ｔｓ６解除されている区間を第３区間Ｗ７と称し、２回目の第２電圧印加が所定時間ｔｓ７行われている区間を第４区間Ｗ８と称して説明する。
【００７５】
図５に示した線Ｆ３は、表示部３の温度が温度Ｔ１の場合において、対象画素に第２表示制御が行われた際に対象画素に表示される色の時間的変化を示す。線Ｆ３が示すように、表示部３の温度が温度Ｔ１の場合、１回目の第２電圧印加により対象画素に黒色が表示され、第１電圧印加により対象画素に第１経由色Ｍ３が表示され、２回目の第２電圧印加により対象画素に中間色Ｃ５が表示される。第１経由色Ｍ３は、中間色Ｃ５に対応する階調よりも高い階調に対応する色である。
【００７６】
表示部３の温度の変化に応じた中間色Ｃ５の変化を抑制するためには、所定の条件Ｘ２を満たすように所定時間ｔｓ５及び所定時間ｔｓ７を決める必要がある。所定の条件Ｘ２が満たされた場合、表示部３の温度が温度Ｔ２の場合において、対象画素に第２表示制御が行われた際の対象画素に表示される色の時間的変化は、図５に示した線Ｆ４が示す変化のように変化する。
【００７７】
図５に示した線Ｆ４は、表示部３の温度が温度Ｔ２の場合において、対象画素に第２表示制御が行われた際に対象画素に表示される色の時間的変化を示す。線Ｆ４が示すように、表示部３の温度が温度Ｔ２の場合、１回目の第２電圧印加により対象画素に黒色が表示され、第１電圧印加により対象画素に第２経由色Ｍ４が表示され、２回目の第２電圧印加により対象画素に中間色Ｃ５が表示される。第２経由色Ｍ４は、第１経由色Ｍ３に対応する階調よりも高い階調に対応する色である。
【００７８】
図５に示したように第２表示制御における２回目の第２電圧印加によって線Ｆ３が示す階調と線Ｆ４が示す階調との両方ともが中間色Ｃ５に対応する階調となっていることは、所定の条件Ｘ２が満たされた場合に表示部３の温度の変化に応じた中間色Ｃ５の変化が抑制されていることを示している。
【００７９】
ここで、前述の所定の条件Ｘ２について説明する。表示部３の温度が温度Ｔ１の場合、第２区間Ｗ６の終了後の第３区間Ｗ７において対象画素の色に対応する階調は、以下の式（１０）に示すように、ＴｂからΔＴｍ３１だけ増加した階調であるＴｍ５となる。ΔＴｍ３１は、表示部３の温度が温度Ｔ１の場合に第２区間Ｗ６において変化した対象画素の色に対応する階調の変化量である。
【００８０】
Ｔｍ５＝Ｔｂ＋ΔＴｍ３１  ・・・（１０）
【００８１】
そして、第４区間Ｗ８の終了時の対象画素の色に対応する階調は、以下の式（１１）に示すように、Ｔｍ５からΔＴｍ３２だけ減少した階調であるＴｍ６となる。ΔＴｍ３２は、表示部３の温度が温度Ｔ１の場合に第４区間Ｗ８において変化した対象画素の色に対応する階調の変化量である。このＴｍ６は、表示部３の温度が温度Ｔ１の場合であって第２表示制御によって対象画素に中間色Ｃ５を表示させる場合、Ｔｃ５と一致する。
【００８２】
Ｔｍ６＝Ｔｍ５−ΔＴｍ３２＝Ｔｂ＋ΔＴｍ３１−ΔＴｍ３２＝Ｔｃ５  ・・・（１１）
【００８３】
一方、表示部３の温度が温度Ｔ２の場合、対象画素の分散液中の白色粒子２１２及び黒色粒子２１３の移動速度が上昇するため、第２区間Ｗ６において変化した対象画素の色に対応する階調は、以下の式（１２）に示すように、ＴｂからΔＴｍ４１だけ増加した階調であるＴｍ７となる。ΔＴｍ４１は、表示部３の温度が温度Ｔ２の場合に第２区間Ｗ６において変化した対象画素の色に対応する階調の変化量である。
【００８４】
Ｔｍ７＝Ｔｂ＋ΔＴｍ４１  ・・・（１２）
【００８５】
ΔＴｍ４１とΔＴｍ３１との差をΔ３３と定義すると、上記の式（１２）は、以下の式（１３）のようになる。
【００８６】
Ｔｍ７＝Ｔｂ＋ΔＴｍ３１＋Δ３３  ・・・（１３）
【００８７】
そして、第４区間Ｗ８において対象画素の色に対応する階調は、以下の式（１４）に示すように、Ｔｍ７からΔＴｍ４２だけ減少した階調であるＴｍ８となる。ΔＴｍ４２は、表示部３の温度が温度Ｔ２の場合に第４区間Ｗ８において変化した対象画素の色に対応する階調の変化量である。
【００８８】
Ｔｍ８＝Ｔｍ７−ΔＴｍ４２  ・・・（１４）
【００８９】
ΔＴｍ４２とΔＴｍ３２との差をΔ３４と定義すると、上記の式（１４）は、上記の式（１１）を用いて以下の式（１５）のようになる。
【００９０】
Ｔｍ８＝Ｔｍ７−ΔＴｍ３２−Δ３４
＝Ｔｂ＋ΔＴｍ３１＋Δ３３−ΔＴｍ３２−Δ３４
＝Ｔｃ５＋Δ３３−Δ３４  ・・・（１５）
【００９１】
上記の式（１５）から、Δ３３＝Δ３４の場合に、表示部３の温度が温度Ｔ１から温度Ｔ２へと変化しても、第２表示制御によって対象画素に表示させた中間色Ｃ５が変化しないことが分かる。
【００９２】
また、前述のΔＶｗ及びΔＶｂを用いて前述のΔ３３及びΔ３４を表すと、以下の式（１６）及び式（１７）のようになる。
【００９３】
Δ３３＝ΔＶｗ×ｔｓ５  ・・・（１６）
Δ３４＝ΔＶｂ×ｔｓ７  ・・・（１７）
【００９４】
すなわち、表示部３の温度の変化に応じた中間色Ｃ５の変化が抑制されるための所定の条件Ｘ２は、Δ３３＝Δ３４に基づいて以下の式（１８）のように表される。
【００９５】
ΔＶｗ×ｔｓ５＝ΔＶｂ×ｔｓ７  ・・・（１８）
【００９６】
前述したようにΔＶｗ及びΔＶｂはそれぞれ、実験によって導出される。これらを用いることで、所定時間ｔｓ５を所定時間ｔｓ７の（ΔＶｂ／ΔＶｗ）倍とすることによって、上記の式（１８）、すなわち所定の条件Ｘ２は、満たされる。従って、制御部１０１は、所定の条件Ｘ２を満たすように所定時間ｔｓ５及び所定時間ｔｓ７が設定された場合、対象画素に第２表示制御を行うことによって表示部３の温度の変化に応じた対象画素の色の変化を抑制しつつ、対象画素に中間色Ｃ５を表示することができる。
【００９７】
＜制御部１０１が対象画素に第１表示制御を行う処理の流れ＞
以下、図６及び図７を参照し、制御部１０１が対象画素に第１表示制御を行う処理の流れについて説明する。図６は、制御部１０１が対象画素に第１表示制御を行う処理の流れの一例を示すフローチャートである。
【００９８】
制御部１０１は、対象画素に対して１回目の第１電圧印加を所定時間ｔｓ１行い、対象画素に白色を表示させる（ステップＳ１００）。この際、制御部１０１は、図示しない計時部によって計時することにより所定時間ｔｓ１が経過したか否かを判定し、対象画素に白色が表示されたか否かを判定する。次に、制御部１０１は、対象画素に対して第２電圧印加を所定時間ｔｓ２行い、対象画素に第１経由色Ｍ１を表示させる（ステップＳ１１０）。なお、この所定時間ｔｓ２は、ステップＳ１３０において制御部１０１が２回目の第１電圧印加を行う時間である所定時間ｔｓ４の（ΔＶｗ／ΔＶｂ）倍である。
【００９９】
次に、制御部１０１は、対象画素に０［Ｖ］を所定時間ｔｓ３印加し、対象画素に第１経由色Ｍ１を表示させた状態を保持する（ステップＳ１１５）。なお、制御部１０１は、ステップＳ１１５の処理を省略する構成であってもよい。次に、制御部１０１は、対象画素に対して２回目の第１電圧印加を所定時間ｔｓ４行い、対象画素に中間色Ｃ５を表示させる（ステップＳ１２０）。次に、制御部１０１は、対象画素に０［Ｖ］を印加し、対象画素に中間色Ｃ５を表示させた状態を保持する（ステップＳ１３０）。
【０１００】
このようにして、制御部１０１は、対象画素に対して第１表示制御を行うことにより、対象画素に中間色Ｃ５を表示させる。ここで、図７を参照し、図６において説明した第１表示制御が行われている間に制御部１０１により対象画素に印加される電圧の電圧波形について説明する。図７は、第１表示制御が行われている間に制御部１０１により対象画素に印加される電圧の電圧波形の一例を示す図である。図７に示したグラフの横軸は、時間である。また、図７に示したグラフの縦軸は、対象画素に印加された電圧である。
【０１０１】
図７に示したように、前述の第１区間Ｗ１において、制御部１０１は、対象画素に対して１回目の第１電圧印加を行うため、対象画素に第１電圧（この一例において、−１５ボルト）を印加している。また、第２区間Ｗ２において、制御部１０１は、対象画素に対して第２電圧印加を行うため、対象画素に第２電圧（この一例において、＋１５ボルト）を印加している。また、第３区間Ｗ３において、制御部１０１は、対象画素に０［Ｖ］を印加している。また、第４区間Ｗ４において、制御部１０１は、対象画素に対して２回目の第１電圧印加を行うため、対象画素に第１電圧を印加している。より具体的には、第４区間Ｗ４において、制御部１０１は、第２区間Ｗ２における第２電圧印加の印加期間よりも短い期間、第１電圧印加を行っている。そして、第４区間Ｗ４の後、制御部１０１は、制御部１０１は、対象画素に０［Ｖ］を印加し、対象画素に表示された色を中間色Ｃ５のまま保持している。
【０１０２】
＜制御部１０１が対象画素に第２表示制御を行う処理の流れ＞
以下、図８及び図９を参照し、制御部１０１が対象画素に第２表示制御を行う処理の流れについて説明する。図８は、制御部１０１が対象画素に第２表示制御を行う処理の流れの一例を示すフローチャートである。
【０１０３】
制御部１０１は、対象画素に対して１回目の第２電圧印加を所定時間ｔｓ１行い、対象画素に黒色を表示させる（ステップＳ２００）。この際、制御部１０１は、所定時間ｔｓ１が経過したか否かを計時することによって、対象画素に白色が表示されたか否かを判定する。なお、ステップＳ２００において、制御部１０１は、対象画素に対して１回目の第２電圧印加を所定時間ｔｓ１と異なる所定時間ｔｓ１１行い、対象画素に黒色を表示させる構成であってもよい。次に、制御部１０１は、対象画素に対して第１電圧印加を所定時間ｔｓ５行い、対象画素に第１経由色Ｍ３を表示させる（ステップＳ２１０）。なお、この所定時間ｔｓ５は、ステップＳ２３０において制御部１０１が２回目の第２電圧印加を行う時間である所定時間ｔｓ７の（ΔＶｂ／ΔＶｗ）倍である。
【０１０４】
次に、制御部１０１は、対象画素に０［Ｖ］を所定時間ｔｓ６印加し、対象画素に第１経由色Ｍ３を表示させた状態を保持する（ステップＳ２１５）。なお、制御部１０１は、ステップＳ２１５の処理を省略する構成であってもよい。次に、制御部１０１は、対象画素に対して２回目の第２電圧印加を所定時間ｔｓ７行い、対象画素に中間色Ｃ５を表示させる（ステップＳ２２０）。次に、制御部１０１は、対象画素に０［Ｖ］を印加し、対象画素に中間色Ｃ５を表示させた状態を保持する（ステップＳ２３０）。
【０１０５】
このようにして、制御部１０１は、第２表示制御を対象画素に対して行うことにより、対象画素に中間色Ｃ５を表示させる。ここで、図９を参照し、図８において説明した第２表示制御が行われている間に制御部１０１により対象画素に印加される電圧の電圧波形について説明する。図９は、第２表示制御が行われている間に制御部１０１により対象画素に印加される電圧の電圧波形の一例を示す図である。図９に示したグラフの横軸は、時間である。また、図９に示したグラフの縦軸は、対象画素に印加された電圧である。
【０１０６】
図９に示したように、前述の第１区間Ｗ５において、制御部１０１は、対象画素に対して１回目の第２電圧印加を行うため、対象画素に第２電圧（この一例において、＋１５ボルト）を印加している。また、第２区間Ｗ６において、制御部１０１は、対象画素に対して第１電圧印加を行うため、対象画素に第１電圧（この一例において、−１５ボルト）を印加している。また、第３区間Ｗ７において、制御部１０１は、対象画素に０［Ｖ］を印加している。また、第４区間Ｗ８において、制御部１０１は、対象画素に対して２回目の第２電圧印加を行うため、対象画素に第２電圧を印加している。より具体的には、第４区間Ｗ８において、制御部１０１は、第２区間Ｗ６における第１電圧印加の印加期間よりも短い期間、第２電圧印加を行っている。そして、第４区間Ｗ８の後、制御部１０１は、制御部１０１は、対象画素に０［Ｖ］を印加し、対象画素に表示された色を中間色Ｃ５のまま保持している。
【０１０７】
なお、制御部１０１は、対象画素の一部に対して第１表示制御を行い、当該一部以外の他の対象画素に対して第２表示制御を行うことにより中間色Ｃ５を対象画素に表示させる構成であってもよい。この場合、図６と図８とのそれぞれに示したフローチャートの処理は、開始するタイミングが同じタイミングであってもよく、異なるタイミングであってもよい。すなわち、図６に示したタイミングチャートの横軸の原点と、図８に示したタイミングチャートの横軸の原点とが一致する構成であってもよく、一致しない構成であってもよい。ただし、この場合、第１表示制御において対象画素に白色が表示されるタイミングと、第２表示制御において対象画素に黒色が表示されるタイミングとは、対象画素間の表示のムラを抑制するため、同じであることが望ましい。第１表示制御において対象画素に白色が表示されるタイミングは、第１表示制御が開始された時刻から時間が所定時間ｔｓ１経過したタイミングである。また、第２表示制御において対象画素に黒色が表示されるタイミングは、第２表示制御が開始された時刻から時間が所定時間ｔｓ１経過したタイミングである。
【０１０８】
また、制御部１０１は、第１表示制御において第１区間Ｗ１〜第４区間Ｗ４のそれぞれに要する時間を足した時間と、第２表示制御において第１区間Ｗ５〜第４区間Ｗ８のそれぞれに要する時間を足した時間とは、中間色表示領域Ｍ１１における表示のムラを抑制するため、等しいことが望ましい。これは、第１区間Ｗ１〜第４区間Ｗ４のそれぞれに要する時間のうちの少なくとも一部と、第２表示制御において第１区間Ｗ５〜第４区間Ｗ８のそれぞれに要する時間のうちの少なくとも一部とのいずれか一方又は両方を調整（変化）させることによって実現することができる。
【０１０９】
＜第１実施形態の変形例１＞
以下、図１０〜図１３を参照し、第１実施形態の変形例１について説明する。第１実施形態の変形例１に係る電気泳動表示装置１では、複数の対象画素のうちの一部に対して第１表示制御を行い、当該一部以外の他の対象画素に対して第２表示制御を行うことにより、対象画素に中間色Ｃ５を表示させる。
【０１１０】
図１０は、電気泳動表示装置１の表示部３において中間色Ｃ５を表示させる領域である中間色表示領域Ｍ１１の一例を示す図である。中間色表示領域Ｍ１１は、複数の対象画素によって構成される領域である。図１０に示したように、中間色表示領域Ｍ１１は、４８個の対象画素によって構成される。これら４８個の対象画素には、２４個の第１画素Ｐ１と、２４個の第２画素Ｐ２とが含まれている。第１画素Ｐ１は、対象画素のうちの第１表示制御が行われることにより中間色Ｃ５を表示する対象画素である。第２画素Ｐ２は、対象画素のうちの第２表示制御が行われることにより中間色Ｃ５を表示する対象画素である。図１０では、第１画素Ｐ１と第２画素Ｐ２とをハッチングの違いによって区別している。この一例において、第１画素Ｐ１と第２画素Ｐ２とは、互いに隣り合うように交互に分布させられている（配置されている）。
【０１１１】
中間色表示領域Ｍ１１における第１画素Ｐ１と第２画素Ｐ２との分布は、中間色表示領域Ｍ１１において予め決められた分布から変化しない構成であってもよく、制御部１０１によって中間色を表示するたびに中間色表示領域Ｍ１１に含まれる各対象画素のうち、第１表示制御を行う対象と第２表示制御を行う対象とを変更する構成であってもよい。この場合、例えば、制御部１０１は、所定の時間帯毎に対応付けられたテーブルであって、第１表示制御を行う対象である対象画素の位置と、第２表示制御を行う対象である対象画素の位置とを示すテーブルを参照し、現在の時刻が含まれる時間帯に応じて第１表示制御を行う対象である対象画素と第２表示制御を行う対象である対象画素とを切り替える。例えば、所定の時間帯は、２４時間において偶数分の時間帯と、奇数分の時間帯とのそれぞれである。当該偶数分の時間帯は、例えば、１２時００分００秒から１２時００分５９秒までの６０秒間や、０３時１６分００秒から０３時１６分５９秒までの６０秒間等である。また、当該奇数分の時間帯は、例えば、１４時１１分００秒から１４時１１分５９秒までの６０秒間や、０５時３３分００秒から０５時３３分５９秒までの６０秒間等である。また、制御部１０１は、所定の画像更新回数毎に、対象画素を切り替えても良い。
【０１１２】
中間色表示領域Ｍ１１において第１画素Ｐ１と第２画素Ｐ２とが互いに隣り合うように交互に分布している場合、表示部３の温度が臨界温度ＴＣを超えても、制御部１０１は、第１画素Ｐ１に対して第１表示制御を行い、第２画素Ｐ２に対して第２表示制御を行うことによって中間色表示領域Ｍ１１に中間色Ｃ５を表示することができる。臨界温度ＴＣは、第１表示制御によって第１画素Ｐ１に表示される色と、第２表示制御によって第２画素Ｐ２に表示される色とのそれぞれが、中間色Ｃ５と異なる色に変化する現象が起こり始める温度である。なお、臨界温度ＴＣは、分散液毎に実験によって特定される温度である。なお、中間色Ｃ５と異なる色は、中間色Ｃ５に対応する階調と比べて、１以上異なる階調に対応する色のことである。また、当該実験において、中間色表示領域Ｍ１１に表示された中間色Ｃ５に対応する階調が変化したことは、中間色表示領域Ｍ１１の光の反射強度の変化を検出することによって検出することができる。
【０１１３】
表示部３の温度が臨界温度ＴＣを超えた場合、第１表示制御が行われた第１画素Ｐ１には、中間色Ｃ５よりも暗い色である中間色Ｃ１が表示される。また、当該場合、第２表示制御が行われた第２画素Ｐ２には、中間色Ｃ５よりも明るい色である中間色Ｃ２が表示される。中間色Ｃ５に対応する階調と中間色Ｃ１に対応する階調との差は、中間色Ｃ５に対応する階調と、中間色Ｃ２に対応する階調との差と略同じである。
【０１１４】
このため、表示部３の温度が臨界温度ＴＣを超えた場合に第１画素Ｐ１に対して第１表示制御を行い、第２画素Ｐ２に対して第２表示制御を行った際、ユーザーには、中間色表示領域Ｍ１１に表示された中間色が、中間色Ｃ１に対応する階調と中間色Ｃ２に対応する階調との間の階調に対応した中間色Ｃ５であると認識される。これは、中間色表示領域Ｍ１１から所定距離離れた位置から中間色表示領域Ｍ１１を見た場合に、第１画素Ｐ１の色を示す光と第２画素Ｐ２の色を示す光とが干渉することによって生じる。すなわち、この場合、中間色表示領域Ｍ１１における光の反射強度が、当該干渉によって中間色Ｃ５に対応する階調の明るさとなる。
【０１１５】
分散媒の粘性は温度によって変化するが、材料によっては、ある温度以下、例えば１０℃以下で急激に上昇する。すると、温度変化による自己補正範囲外となって、例えば白黒表示を考えた場合、第１表示制御による中間色（中間調）表示と第２表示制御による中間色（中間調）表示の一方が暗くなり、他方が明るくなる場合がある。このような中間色を表示させる場合、中間色表示領域Ｍ１１において第１画素Ｐ１と第２画素Ｐ２とが互いに隣り合うように交互に分布させておけば、所定の中間色よりも明るい画素と暗い画素が隣接し、人の眼には混ざって、所定の中間色に見える。所定の中間色よりも明るくなる程度と暗くなる程度を勘案して、第１表示制御を行う画素２の数と第２表示制御を行う画素２の数の割合を適宜変更することで更に正確にユーザーへ所定の中間色を見せることができる。
【０１１６】
例えば、中間色表示領域Ｍ１１では、第１画素Ｐ１と第２画素Ｐ２とが、図１１に示したような配置に分布している構成であってもよい。図１１は、中間色表示領域の他の例を示す図である。図１１に示した中間色表示領域Ｍ１１は、４８個の画素２によって構成される。これら４８個の画素２には、１２個の第１画素Ｐ１と、３６個の第２画素Ｐ２とが含まれている。図１１では、第１画素Ｐ１と第２画素Ｐ２とをハッチングの違いによって区別している。
【０１１７】
図１１に示したように、中間色表示領域Ｍ１１では、これらの第１画素Ｐ１と第２画素Ｐ２とが、６行８列のマトリクス状に配置されている。また、当該マトリクスの奇数行では、第１画素Ｐ１と第２画素Ｐ２とが互いに隣り合うように交互に分布しており、当該マトリクスの偶数行では、第２画素Ｐ２のみが分布している。このような第１画素Ｐ１と第２画素Ｐ２との分布は、図１０において説明した分布と比べて、第１画素Ｐ１の数に対する第２画素Ｐ２と数の割合が変化している。具体的には、当該割合が大きくなっている。
【０１１８】
このように第１画素Ｐ１の数に対する第２画素Ｐ２の数の割合を中間色表示領域Ｍ１１において変化させることにより、制御部１０１は、ユーザーによって中間色表示領域Ｍ１１に表示されていると認識される中間色を、前述の中間色Ｃ５と異なる中間色にすることができる。すなわち、制御部１０１は、当該割合を変化させることにより、当該割合に応じた中間色のそれぞれを中間色表示領域に表示させることができる。
【０１１９】
図１１に示した例では、中間色表示領域Ｍ１１において第１画素Ｐ１の数が第２画素Ｐ２の数よりも少ないため、ユーザーによって中間色表示領域Ｍ１１に表示されていると認識される中間色が、前述の中間色Ｃ５よりも暗い灰色となる。これは、中間色表示領域Ｍ１１において、中間色Ｃ２を表示する第２画素Ｐ２の数が多いためである。また、例えば、図１１に示した例において第１画素Ｐ１と第２画素Ｐ２とを入れ替えた場合、ユーザーによって中間色表示領域Ｍ１１に表示されていると認識される中間色は、中間色Ｃ５よりも明るい灰色となる。これは、中間色表示領域Ｍ１１において、中間色Ｃ１を表示する第１画素Ｐ１の数が多いためである。
【０１２０】
以上のように、複数の対象画素のうちの一部に対して第１表示制御を行い、当該一部以外の他の対象画素に対して第２表示制御を行うことにより、電気泳動表示装置１は、温度変化があっても、より確実に中間色Ｃ５を表示することができる。
【０１２１】
＜中間色表示領域において画素間のＤＣ（Direct  Current）印加バランスを均一化する方法＞
上記において説明した第１実施形態の変形例１に係る電気泳動表示装置１では、中間色表示領域Ｍ１１における第１画素Ｐ１と第２画素Ｐ２との分布が、中間色表示領域Ｍ１１において予め決められており、当該分布が固定されている構成であってもよい。しかし、この場合、電気泳動表示装置１では、画素２間のＤＣ印加バランスが不均一となる場合（焼き付きが生じる場合）がある。
【０１２２】
これに対し、制御部１０１が対象画素に第１表示制御又は第２表示制御を行うたびに中間色表示領域Ｍ１１において第１画素Ｐ１と第２画素Ｐ２とのそれぞれの位置を時間の経過とともに変更する場合、ＤＣ印加バランスを均一化することができる。ここでは、このＤＣ印加バランスを均一化する方法について説明する。
【０１２３】
制御部１０１は、ＤＣ印加バランスを均一化するため、中間色表示領域Ｍ１１において第１画素Ｐ１の数に対する第２画素Ｐ２の数の割合を変化させずに、中間色表示領域Ｍ１１における第１画素Ｐ１と第２画素Ｐ２との分布を変化させる。例えば、中間色表示領域Ｍ１１において第１画素Ｐ１と第２画素Ｐ２とが図１０に示したように分布している場合、制御部１０１は、図１２に示すように第１画素Ｐ１と第２画素Ｐ２との分布を変化させる。前述したように、制御部１０１は、第１表示制御を行う対象画素（すなわち、第１画素Ｐ１）の位置と、第２表示制御を行う対象画素（すなわち、第２画素Ｐ２）の位置とを示したテーブルを参照することにより、このような第１画素Ｐ１と第２画素Ｐ２との分布を変化させる。図１２は、中間色表示領域Ｍ１１において第１画素Ｐ１の数に対する第２画素Ｐ２の数の割合を変化させずに、中間色表示領域Ｍ１１における第１画素Ｐ１と第２画素Ｐ２との分布を変化させる方法の一例を説明する図である。
【０１２４】
図１２に示した左図は、図１０に示した中間色表示領域Ｍ１１のうちの一部、すなわち２行２列のマトリクス状に配置された２個の第１画素Ｐ１と２個の第２画素Ｐ２とを示す図Ｓｔ１１である。また、図１２に示した右図は、図Ｓｔ１１の第１画素Ｐ１の位置と第２画素Ｐ２の位置とを入れ替えた（切り替えた）図Ｓｔ１２である。制御部１０１は、所定時間が経過する毎に、中間色表示領域Ｍ１１内の第１画素Ｐ１と第２画素Ｐ２との分布を、図Ｓｔ１１に示した分布から図Ｓｔ１２に示した分布へと変化させ、図Ｓｔ１２に示した分布から図Ｓｔ１１に示した分布へと変化させる。すなわち、制御部１０１は、所定時間が経過する毎に、各画素２について行う制御を、第１表示制御と第２表示制御とで切り替える。これにより、制御部１０１は、ＤＣ印加バランスを均一化することができる。
【０１２５】
また、例えば、中間色表示領域Ｍ１１において第１画素Ｐ１と第２画素Ｐ２とが図１２に示したように分布している場合、制御部１０１は、図１３に示すように第１画素Ｐ１と第２画素Ｐ２との分布を変化させる。図１３は、中間色表示領域Ｍ１１において第１画素Ｐ１の数に対する第２画素Ｐ２の数の割合を変化させずに、中間色表示領域Ｍ１１における第１画素Ｐ１と第２画素Ｐ２との分布を変化させる方法の他の例を説明する図である。
【０１２６】
図１３に示した左上図は、図１２に示した中間色表示領域Ｍ１１のうちの一部、すなわち２行２列のマトリクス状に配置された２個の第１画素Ｐ１と２個の第２画素Ｐ２とを示す図の一例である図Ｓｔ２１である。また、図１３に示した右上図は、図Ｓｔ２１の第１画素Ｐ１を、当該マトリクスの１行２列目の第２画素Ｐ２と入れ替えた図Ｓｔ２２である。また、図１３に示した右下図は、図Ｓｔ２２の第１画素Ｐ１を、当該マトリクスの２行２列目の第２画素Ｐ２と入れ替えた図Ｓｔ２２である。また、図１３に示した左下図は、図Ｓｔ２３の第１画素Ｐ１を、当該マトリクスの２行１列目の第２画素Ｐ２と入れ替えた図Ｓｔ２４である。
【０１２７】
制御部１０１は、所定時間が経過する毎に、中間色表示領域Ｍ１１内の第１画素Ｐ１と第２画素Ｐ２との分布を、図Ｓｔ２１が示す分布、図Ｓｔ２２が示す分布、図Ｓｔ２３が示す分布、図Ｓｔ２４が示す分布の順に循環的に変化させる。すなわち、制御部１０１は、所定時間が経過する毎に、中間色表示領域Ｍ１１に含まれる対象画素について行う制御を、第１表示制御と第２表示制御とで切り替える。これにより、制御部１０１は、ＤＣ印加バランスを均一化することができる。
【０１２８】
＜第１実施形態の変形例２＞
以下、上記で説明した第１実施形態の変形例２について説明する。第１実施形態の変形例２に係る電気泳動表示装置１は、表示部３の温度を検出する温度検出部を備える。温度検出部は、例えば、温度センサーである。
【０１２９】
例えば、第１実施形態の変形例２に係る電気泳動表示装置１は、温度検出部が検出した表示部３の温度が前述の臨界温度ＴＣを超えた場合、当該温度に応じて第１画素Ｐ１に対する第２電圧印加における電圧波形と、第２画素Ｐ２に対する第１電圧印加における電圧波形とのうちいずれか一方又は両方を変化させる。例えば、電気泳動表示装置１は、当該温度に応じて第４区間Ｗ４に要する時間を、図４に示した所定時間ｔｓ４と異なる他の所定時間ｔｓ４１に変更し、当該電圧波形を変化させるとともに、当該温度に応じて第４区間Ｗ８に要する時間を、図５に示した所定時間ｔｓ７と異なる他の所定時間ｔｓ７１に変更し、当該電圧波形を変化させる。また、例えば、電気泳動表示装置１は、当該温度に応じて第４区間Ｗ４において印加する電圧を、図４に示した第１電圧と異なる他の電圧に変更し、当該電圧波形を変化させるとともに、当該温度に応じて第４区間Ｗ８において印加する電圧を、図５に示した第２電圧と異なる他の電圧に変更し、当該電圧波形を変化させる。
【０１３０】
これらにより、電気泳動表示装置１は、表示部３の温度が変化した場合であっても、第１表示制御によって第１画素Ｐ１に表示される色と、第２表示制御によって第２画素Ｐ２に表示される色とのそれぞれを、中間色Ｃ５のまま保持することができる。なお、電気泳動表示装置１は、第１表示制御における他の区間の電圧又は当該電圧を印加する時間を変化させてもよく、第２表示制御における他の区間の電圧又は当該電圧を印加する時間を変化させてもよい。
【０１３１】
また、第１表示制御における各区間の電圧又は当該電圧を印加する時間を変化させ、第２表示制御における各区間の電圧又は当該電圧を印加する時間を変化させることにより、電気泳動表示装置１は、中間色表示領域Ｍ１１に表示させる色を、中間色Ｃ５から所望の色に変更する構成であってもよい。この場合、電気泳動表示装置１は、対象画素の表示面に表示させる色毎に、対象画素に対する第１表示制御における１回目の第１電圧印加と第２電圧印加と２回目の第１電圧印加とのうちの少なくとも１つの電圧波形を変化させ、第２表示制御における１回目の第２電圧印加と第１電圧印加と２回目の第２電圧印加とのうちの少なくとも１つの電圧波形を変化させる。
【０１３２】
なお、上記で説明した第１実施形態、第１実施形態の変形例１、第１実施形態の変形例２のそれぞれでは、縦電界方式の電気泳動表示装置１について説明したが、これに代えて、電気泳動表示装置１は、横電界方式であってもよい。
【０１３３】
＜第２実施形態＞
図１４〜図１６は、本発明の第２実施形態に係る電子機器の構成の一例を示す図である。第２実施形態では、以上の第１実施形態に係る電気泳動表示装置１を適用した電子機器の具体例を示す。
【０１３４】
図１４は、電子機器の一例である電子ブック５０１を示す斜視図である。
電子ブック５０１は、ブック形状のフレーム５１１と、第１実施形態に係る電気泳動表示装置１が適用された表示部５１２と、操作部５１３を備える。
図１５は、電子機器の一例である腕時計５５１を示す斜視図である。
腕時計５５１は、第１実施形態に係る電気泳動表示装置１が適用された表示部５６１を備える。
図１６は、電子機器の一例である電子ペーパー５７１を示す斜視図である。
電子ペーパー５７１は、紙と同様の質感および柔軟性を有するリライタブルシートで構成される本体部５８１と、第１実施形態に係る電気泳動表示装置１が適用された表示部５８２を備える。
なお、第１実施形態に係る電気泳動表示装置１は、他の様々な電子機器に適用されてもよく、例えば、携帯電話、携帯用オーディオ機器等の電子機器の表示部、マニュアル等の業務用シート、教科書、問題集、情報シートなどに適用されてもよい。
【０１３５】
以上のように、第２実施形態に係る電子機器では、第１実施形態に係る電気泳動表示装置１と同様な効果を得ることができる。
【０１３６】
以上説明したように、第１実施形態に係る電気泳動表示装置１（又は電気泳動表示装置１を駆動する駆動装置、第２実施形態に係る電子機器）は、画素（この一例において、画素２）において、当該画素の表示面に第１色（この一例において、白色）を表示させた状態から第２電圧印加を行った後に第１電圧印加を行う第１表示制御と、当該画素の表示面に第２色（この一例において、黒色）を表示させた状態から第１電圧印加を行った後に第２電圧印加を行う第２表示制御とのうちの少なくとも一方を行うことにより、当該画素の表示面に第１色及び第２色と異なる第３色（この一例において、中間色Ｃ５）を表示させる。これにより、電気泳動表示装置１は、温度補償を行わずに所望の第３色を表示することができる。
【０１３７】
また、電気泳動表示装置１は、画素２の表示面に表示させる第３色毎に、画素２に対する第１表示制御における１回目の第１電圧印加と第２電圧印加と２回目の第１電圧印加とのうちの少なくとも１つの電圧波形を変化させ、第２表示制御における１回目の第２電圧印加と第１電圧印加と２回目の第２電圧印加とのうちの少なくとも１つの電圧波形を変化させる。これにより、電気泳動表示装置１は、複数の第３色を表示することができる。
【０１３８】
また、電気泳動表示装置１は、温度検出部が検出した温度に応じて、画素２に対する第１表示制御における１回目の第１電圧印加と第２電圧印加と２回目の第１電圧印加とのうちの少なくとも１つの電圧波形を変化させ、第２表示制御における１回目の第２電圧印加と第１電圧印加と２回目の第２電圧印加とのうちの少なくとも１つの電圧波形を変化させる。これにより、電気泳動表示装置１は、温度変化があっても、より確実に所望の第３色を表示することができる。
【０１３９】
また、電気泳動表示装置１は、複数の画素２のうちの一部である第１画素Ｐ１に第１表示制御を行い、当該画素２のうちの第１画素Ｐ１と異なる第２画素Ｐ２に第２表示制御を行う。これにより、電気泳動表示装置１は、第１画素Ｐ１と第２画素Ｐ２によって所望の第３色を表示することができる。
【０１４０】
また、電気泳動表示装置１は、所定時間が経過する毎に、各画素について行う制御を、第１表示制御と第２表示制御とで切り替える。これにより、電気泳動表示装置は、ＤＣ印加バランスの不均一を抑制することができる。
【０１４１】
以上、この発明の実施形態を、図面を参照して詳述してきたが、具体的な構成はこの実施形態に限られるものではなく、この発明の要旨を逸脱しない限り、変更、置換、削除等されてもよい。
【符号の説明】
【０１４２】
１…電気泳動表示装置、２…画素、３、５１２、５６１、５８２…表示部、４…走査線、５…データ線、６…走査線駆動回路、７…データ線駆動回路、１５…共通電極電源配線、１０１…制御部、２４…選択スイッチＴＦＴ、２５…コンデンサー、Ｐ１…第１画素、Ｐ２…第２画素、１１１…画像生成部、２０１…共通電極、２０２−１、２０２−２…画素電極、２１１…分散媒、２１２…白色粒子、２１３…黒色粒子、２２１…対向基板、２２２…素子基板、２２３−１、２２３−２…隔壁、３０１〜３０３、３１１〜３１３…電圧を示す線、５０１…電子ブック、５１１…フレーム、５１３…操作部、５５１…腕時計、５７１…電子ペーパー、５８１…本体部
【図１】
2017134231.tif 000003
【図２】
2017134231.tif 000004
【図３】
2017134231.tif 000005
【図４】
2017134231.tif 000006
【図５】
2017134231.tif 000007
【図６】
2017134231.tif 000008
【図７】
2017134231.tif 000009
【図８】
2017134231.tif 000010
【図９】
2017134231.tif 000011
【図１０】
2017134231.tif 000012
【図１１】
2017134231.tif 000013
【図１２】
2017134231.tif 000014
【図１３】
2017134231.tif 000015
【図１４】
2017134231.tif 000016
【図１５】
2017134231.tif 000017
【図１６】
2017134231.tif 000018